(57)【要約】      （修正有）【課題】搬送レールに設けられる除塵装置であって、該搬送レールは複数の電子デバイスを載置するキャリアテープを搬送する除塵装置を提供する。【解決手段】のり付けベース１、接続ユニット２、及び吸着ユニットを備える。該のり付けベースは第１面１１１及びその反対側の第２面１１２を有する本体部、並びに該第２面に設けられ、かつ該搬送レール内に配置される連結部を含み、該接続ユニットは該本体部の第１面に設けられる第１接続座２１を含み、該吸着ユニットは該第１接続座に設けられる第１除塵部３１、該第１除塵部に嵌合される第１除塵管３２、及び該第１除塵管と接続される空気源を含み、該第１除塵部が該第１除塵管と連通して、第１気流通路を形成し、該空気源が動作してガスを該第１気流通路に搬送する。【選択図】図１
0003222867.tif 000002
【実用新案登録請求の範囲】
【請求項１】
搬送レールに設けられる除塵装置であって、該搬送レールは複数の電子デバイスを載置するキャリアテープを搬送する、除塵装置において、
第１面及びその反対側の第２面を有する本体部、並びに該第２面に設けられ、かつ該搬送レール内に配置される連結部を含むのり付けベースと、
該本体部の第１面に設けられる第１接続座を含む接続ユニットと、
吸着ユニットであって、該第１接続座に設けられる第１除塵部、該第１除塵部に嵌合される第１除塵管、及び該第１除塵管と接続される空気源を含み、該第１除塵部が該第１除塵管と連通して、第１気流通路を形成し、該空気源が動作してガスを該第１気流通路に搬送する、吸着ユニットとを備える除塵装置。
【請求項２】
該接続ユニットは該第１接続座と間隔をあけて対向配置される第２接続座をさらに含み、該本体部と該第１、２接続座とは囲んで、該キャリアテープを搬送可能な搬送通路を画定する請求項１に記載の除塵装置。
【請求項３】
該吸着ユニットは該第２接続座に設けられる第２除塵部、該第２除塵部に嵌合される第２除塵管をさらに含み、該第２除塵管が該空気源と接続され、該第２除塵部が該第２除塵管と連通して、第２気流通路を形成し、該空気源が動作してガスを該第２気流通路に搬送し、該第１、２気流通路が対向配置され、同時にガスを該搬送通路にあるキャリアテープに搬送する請求項２に記載の除塵装置。
【請求項４】
該接続ユニットは該第１接続座に設けられる第１トップシート、及び該第２接続座に設けられる第２トップシートをさらに含み、該第１トップシートが外部と連通する第１吸着穴を有し、該第２トップシートが外部と連通する第２吸着穴を有する請求項３に記載の除塵装置。
【請求項５】
該第１接続座と該本体部の第１面との間に、該第１トップシートの下方にある第１吸着スペースが形成され、該第２接続座と該本体部の第１面との間に、該第２トップシートの下方にある第２吸着スペースが形成され、該第１トップシート、該第１除塵部と該第１吸着スペースとは連通し、該第２トップシート、該第２除塵部と該第２吸着スペースとは連通する請求項４に記載の除塵装置。
【請求項６】
該のり付けベースは該本体部の第１面に間隔をあけて設けられ、かつ該第１、２接続座の側縁に当接する複数の固定ブロックをさらに含み、隣接する２つの固定ブロック同士間に、該搬送通路にある吸着ギャップが形成され、該吸着ギャップがそれぞれ該第１、２吸着スペースと連通する請求項５に記載の除塵装置。
【請求項７】
該空気源が動作してガスを該第１、２除塵管から、それぞれ該第１、２気流通路に搬送し、該第１、２気流通路を通して該第１、２トップシートの第１、２吸着穴に搬送するか、又は隣接する固定ブロック同士間の吸着ギャップに搬送し、該搬送通路にあるキャリアテープにガスを搬送する請求項６に記載の除塵装置。
【請求項８】
該のり付けベースは該本体部に設けられかつ該搬送通路内に配置される複数の磁性部材をさらに含み、該磁性部材は該キャリアテープにある複数の電子デバイスを吸着する請求項７に記載の除塵装置。
【請求項９】
該空気源は真空アスピレーターである請求項８に記載の除塵装置。
【請求項１０】
該空気源は真空吸引状態を維持している請求項９に記載の除塵装置。
【考案の詳細な説明】
【技術分野】
【０００１】
本考案は除塵装置に関し、特にキャリアテープをクリーンアップする除塵装置に関する。
【背景技術】
【０００２】
電子デバイスは物理的特性が異なるため、検出、分類の手順で梱包又は分類する必要があり、また電子製品が高精度で非常に小さく、輸送中により丈夫でかつ高精度の梱包が必要となる。現在、テープ＆リール包装がエレクトロニクス業界で広く使用されており、キャリアテープの溝に電子デバイスを等間隔で封入し、自動化された工場で低コスト、大容量の利用を実現することに加えて、保管、輸送しやすいように梱包された電子デバイスを適切に保護する。
【０００３】
電子デバイスを梱包するとき、リールにおけるカバーテープが移動経路に沿ってシール機構に入り、電子デバイスがキャリアテープの溝に落ち込み、カバーテープを該キャリアテープ上方の開口に貼り付けて該開口を封止し、最後、該キャリアテープを搬送機構によって巻き取り装置に搬送し、カバーテープが取り付けられたキャリアテープをプラスチックディスクに巻き取る。
【０００４】
しかし、プラスチック製カバーテープも紙製カバーテープも、展開中にチップ又はバリなどのほこりやごみが生じ、長時間にわたって、該搬送レールの側面及び溝にほこりなどが蓄積し、したがって、該電子デバイスを載置した該キャリアテープが該搬送レールに搬送されると、カバーテープが貼り付けられていないキャリアテープにほこりなどが飛散したり、該キャリアテープの上面にほこりなどが付着したりして、該カバーテープが該キャリアテープの開口に完全に接着できず、したがって、該カバーテープが容易に剥離され、それらすべてが該電子デバイスの梱包歩留まりに影響を与える。
【０００５】
また、該キャリアテープを搬送する搬送レールの間隔が狭いため、該搬送レールにおけるほこりやゴミを除去する必要があるとき、関連するアセンブリを取り外す必要があるが、アセンブリの間隔が狭くて、取り外しが困難になり、修理作業にも不都合が生じる。
【０００６】
上記欠点はいずれも、従来の電子デバイスの梱包プロセスに生じた様々な問題を示しており、長期間にわたって電子デバイスの動作効率が悪くなり、梱包歩留まりに影響を与えることが多く、したがって、従来技術より良い解決手段を提案する必要がある。
【考案の概要】
【考案が解決しようとする課題】
【０００７】
上記に鑑み、本考案の目的は除塵装置を提供することであり、該除塵装置は搬送レールに設けられ、該搬送レールが複数の電子デバイスが載置されたキャリアテープを搬送し、該除塵装置はのり付けベースと、接続ユニットと、吸着ユニットとを備える。
【課題を解決するための手段】
【０００８】
該のり付けベースは第１面と反対側の第２面とを有する本体部、及び該第２面に設けられかつ該搬送レール内に配置される連結部を含み、該接続ユニットは該本体部の第１面に設けられる第１接続座を含み、該吸着ユニットは該第１接続座に設けられる第１除塵部、該第１除塵部に嵌合される第１除塵管、及び該第１除塵管と接続される空気源を含み、該第１除塵部が該第１除塵管と連通して、第１気流通路を形成し、該空気源が動作してガスを該第１気流通路に搬送する。
【０００９】
本考案のもう１つの技術的手段は、上記接続ユニットは該第１接続座と間隔をあけて対向配置される第２接続座をさらに含み、該本体部が該第１、２接続座と囲んで、該キャリアテープを搬送可能な搬送通路を画定することである。
【００１０】
本考案の他の技術的手段は、上記吸着ユニットは該第２接続座に設けられる第２除塵部、該第２除塵部に嵌合される第２除塵管をさらに含み、該第２除塵管が該空気源と接続され、該第２除塵部が該第２除塵管と連通して第２気流通路を形成し、該空気源が動作してガスを該第２気流通路に搬送し、該第１、２気流通路が対向配置され、同時にガスを該搬送通路に設けられるキャリアテープに搬送することである。
【００１１】
本考案のさらなる技術的手段は、上記接続ユニットが該第１接続座に設けられる第１トップシート、及び該第２接続座に設けられる第２トップシートをさらに含み、該第１トップシートが外部と連通する第１吸着穴を有し、該第２トップシートが外部と連通する第２吸着穴を有することである。
【００１２】
本考案のもう１つの技術的手段は、上記第１接続座と該本体部の第１面との間に、該第１トップシートの下方にある第１吸着スペースが形成され、該第２接続座と該本体部の第１面との間に、該第２トップシートの下方にある第２吸着スペースが形成され、該第１トップシート、該第１除塵部と該第１吸着スペースとは連通し、該第２トップシート、該第２除塵部と該第２吸着スペースとは連通することである。
【００１３】
本考案の他の技術的手段は、上記のり付けベースは該本体部の第１面に間隔をあけて設けられ、かつ該第１、２接続座の側縁に当接される複数の固定ブロックをさらに含み、隣接する２つの固定ブロック同士間に該搬送通路にある吸着ギャップが形成され、該吸着ギャップがそれぞれ該第１、２吸着スペースと連通することである。
【００１４】
本考案のさらなる技術的手段は、該空気源が動作してガスを該第１、２除塵管から、それぞれ該第１、２気流通路に搬送し、該第１、２気流通路を通して該第１、２トップシートの第１、２吸着穴に搬送するか、又は隣接する固定ブロック同士間の吸着ギャップに搬送し、該搬送通路にあるキャリアテープにガスを搬送することである。
【００１５】
本考案のもう１つの技術的手段は、上記のり付けベースが該本体部に設けられ、かつ該搬送通路内に配置される複数の磁性部材をさらに含み、該磁性部材が該キャリアテープにある複数の電子デバイスを吸着することである。
【００１６】
本考案の他の技術的手段は、上記空気源が真空アスピレーターであることである。
【００１７】
本考案のさらなる技術的手段は、上記空気源が真空吸引状態を維持していることである。
【考案の効果】
【００１８】
本考案の有利な効果は、第１、第２トップシートの第１、第２吸着穴によって飛散しているほこりやゴミを吸収して除去し、該搬送通路から突出した複数の固定ブロック、及び隣接する２つの固定ブロック同士間に形成される吸着ギャップに、該カバーテープから生じたほこりやごみが蓄積しているため、該空気源を用いて該吸着ギャップの隙間にあるほこりやごみを吸収して除去し、除塵の清潔さを改善し、電子デバイスの梱包歩留まりを向上させることである。
【図面の簡単な説明】
【００１９】
【図１】図１は本考案による除塵装置の好ましい実施例を示す立体図である。
【図２】図２は該好ましい実施例の別の視点からの態様を示す立体図である。
【図３】図３は該好ましい実施例の第１吸着空間及び第２吸着空間を示す図２の断面図である。
【考案を実施するための形態】
【００２０】
本考案の関連特許出願の特徴及び技術的内容は、図面を参照した、以下の好ましい実施例の詳細な説明から明らかになる。
【実施例】
【００２１】
図1、2、及び3は、本考案に係る除塵装置の好ましい実施例であり、それが搬送レールに設けられ、該搬送レールが複数の電子デバイスが載置されたキャリアテープを搬送し、カバーテープを該キャリアテープに貼り付けてそれを封止し、該除塵装置はのり付けベース1、接続ユニット2、及び吸着ユニット3を備える。
【００２２】
該のり付けベース1は第１面111及び反対側の第２面112を有する本体部11、該第２面112に設けられ、かつ該搬送レール内に配置される連結部12、及び該本体部11に設けられる複数の磁性部材13を含む。
【００２３】
この好ましい実施例において、該本体部11の第１面111に並列する２列の8４つの磁性部材13、１列になる４つの磁性部材13が設けられ、該除塵装置に入った磁性を有する電子デバイスを吸着し、磁性を有する電子デバイスを該キャリアテープ内に円滑に配置させる。
【００２４】
さらに、該のり付けベース1は複数の固定ブロック14をさらに含み、該複数の固定ブロック14が該本体部11に間隔をあけて設けられる複数の第１面111を有し、かつ該接続ユニット2に当接し、隣接する２つの固定ブロック14同士間に吸着ギャップ140が形成される。
【００２５】
該接続ユニット2は該本体部11の第１面111に設けられる第１接続座21、該第１接続座21と間隔をあけて対向配置される第２接続座22、該第１接続座21に設けられる第１トップシート23、及び該第２接続座22に設けられる第２トップシート24を含む。
【００２６】
実際に実施するとき、該本体部11及び該第１、２接続座21、22に対応する固定孔を設けてもよく、該のり付けベース1及び該接続ユニット2を該搬送レールに固定配置させる。
【００２７】
該本体部11と該第１、２接続座21、22とが囲んで、該キャリアテープを搬送可能な搬送通路20を画定し、該のり付けベース1の複数の磁性部材13が該搬送通路20内に設けられる。また、該のり付けベース1の複数の固定ブロック14は該第１、２接続座21、22の側縁に当接し、かつ該搬送通路20内に設けられ、隣接する２つの固定ブロック14同士間に形成される吸着ギャップ140も該搬送通路20にある。
【００２８】
ここで、該搬送通路20に該第１面111にある高い表面、及び該高い表面と接続される低い表面が形成され、２列に並列する8個磁性部材13は該高い表面内に埋め込まれ、１列になる４つの磁性部材13は該低い表面の中央位置から突出して設けられる。さらに、該複数の固定ブロック14は該低い表面から突出してそれぞれ該磁性部材13の両側に設けられ、該第１接続座21及び該第２接続座22の側縁にそれぞれ間隔をあけて設けられる3つの固定ブロック14が当接される。
【００２９】
さらに、該第１接続座21と該本体部11の第１面111との間に、該第１トップシート23下方にある第１吸着スペース210が形成され、該第２接続座22と該本体部11の第１面111との間に、該第２トップシート24下方にある第２吸着スペース220が形成され、隣接する２つの固定ブロック14同士間の吸着ギャップ140がそれぞれ該第１、２吸着スペース210、220と連通する。
【００３０】
また、該第１トップシート23は外部と連通する第１吸着穴231を有し、該第２トップシート24は外部と連通する第２吸着穴241を有し、該第１、２吸着穴231、241が該搬送通路20の上方に設けられる。
【００３１】
該吸着ユニット3は該第１接続座21に設けられる第１除塵部31、該第１除塵部31に嵌合される第１除塵管32、及び該第１除塵管32と接続される空気源33を含み、該第１除塵部31が該第１除塵管32と連通して、第１気流通路310を形成し、該空気源33が動作してガスを該第１気流通路310に搬送し、該搬送通路20を通過するキャリアテープに対して除塵作業を行う。
【００３２】
また、該吸着ユニット3は該第２接続座22に設けられる第２除塵部34、該第２除塵部34に嵌合される第２除塵管35をさらに含み、該第２除塵管35が該空気源33と接続され、該第２除塵部34が該第２除塵管35と連通して、第２気流通路340を形成し、該空気源33が動作してガスを該第２気流通路340に搬送し、ここで、該第１、２気流通路310、340が対向配置され、同時にガスを該搬送通路20にあるキャリアテープに搬送する。
【００３３】
実際に実施するとき、必要に応じて該第１除塵部31と該第１除塵管32とを独立して配置するか、又は該第２除塵部34と該第２除塵管35とを同時に配置してもよく、該搬送通路20を通過するキャリアテープに対する除塵作業の清潔さを改善し、その配置状態が使用要件によって異なり、これに限定されるべきではない。
【００３４】
該空気源３３は真空アスピレーターであり、かつ該空気源３３は搬送レールが動作を停止するまで、真空吸引状態を維持している。
【００３５】
該第１トップシート23、該第１除塵部31と該第１吸着スペース210とは連通し、該第２トップシート24、該第２除塵部34と該第２吸着スペース220とは連通する。
【００３６】
該空気源33が動作してガスを該第１、２除塵管32、35から、それぞれ該第１、２気流通路310、340に搬送し、該第１、２気流通路310、340を通して該第１、２トップシート23、24の第１、２吸着穴231、241に搬送し、又は隣接する２つの固定ブロック14同士間の吸着ギャップ140に搬送し、ガスを該搬送通路20にあるキャリアテープに搬送し、ここで該搬送通路20にあるほこりやゴミを真空吸引によって除去する。
【００３７】
好ましくは、該搬送通路20から突出して配置される複数の固定ブロック14と該吸着ギャップ140とを設けることにより、その上にカバーテープから生じたほこりやゴミが蓄積され、該空気源33の動作により該吸着ギャップ140に溜まったほこりやゴミを吸引して除去し、隙間にあるほこりやゴミを完全に除去する。
【００３８】
該第１、２接続座21、22の第１、２吸着スペース210、220が該吸着ギャップ140と連通し、該第１、２トップシート23、24が該第１、２除塵部31、34と、さらに該第１、２吸着スペース210、220と連通するため、該空気源33が動作して該第１、２吸着穴231、241から飛散しているほこりやゴミを吸引して除去するとともに、該固定ブロック14間の吸着ギャップ140から該搬送通路20のほこりやゴミを吸引して除去し、除塵作業の清潔さを改善し、電子デバイスの梱包歩留まりを向上させる。
【００３９】
上記の記載では、本考案除塵装置は、該のり付けベース1、該接続ユニット2、及び該吸着ユニット3の配置により、該本体部11に設けられる該複数の磁性部材13を用いて、磁性を有する複数の電子デバイスを該キャリアテープ内に円滑に配置し、該吸着ギャップ140に該カバーテープから生じたほこりやゴミが蓄積され、該空気源33の動作により該吸着ギャップ140に溜まったほこりやゴミを吸引して除去し、隙間にあるほこりやゴミを完全に除去し、さらに、該第１、２トップシート23、24の第１、２吸着穴231、241によって飛散しているほこりやゴミを吸引して除去し、除塵作業の清潔さを改善し、電子デバイスの梱包歩留まりを向上させ、本考案の目的を確実に達成することができる。
【００４０】
ただし、上記の説明は本考案の好適な実施例に過ぎず、本考案の実施範囲を限定するものではなく、即ち本考案の特許出願の範囲及び考案の説明内容に従って行われる単純な同等の変更及び修正は、本考案の特許範囲内にある。
【産業上の利用可能性】
【００４１】
本考案の有利な効果は、該第１、２トップシートの第１、２吸着穴を介して飛散しているほこりやゴミを吸引して除去し、該搬送通路から突出して設けられる複数の固定ブロック、及び隣接する２つの固定ブロック間に形成される吸着ギャップに、該カバーテープから生じたほこりやゴミが蓄積され、該空気源で該吸着ギャップの隙間に溜まったほこりやゴミを吸引して除去し、除塵作業の清潔さを向上させ、電子デバイスの梱包歩留まりを向上させる。
【符号の説明】
【００４２】
1      のり付けベース
220    第２吸着スペース
11     本体部
111    第１面
112    第２面
12     連結部
13     磁性部材
14     固定ブロック
140    吸着ギャップ
2      接続ユニット
20     搬送通路
21     第１接続座
210    第１吸着スペース
22     第２接続座
23     第１トップシート
231    第１吸着穴
24     第２トップシート
241    第２吸着穴
3      吸着ユニット
31     第１除塵部
310    第１気流通路
32     第１除塵管
33     空気源
34     第２除塵部
340    第２気流通路
35     第２除塵管
【図１】
0003222867.tif 000003
【図２】
0003222867.tif 000004
【図３】
0003222867.tif 000005